(57)【要約】【課題】加湿量を増加させるために加湿に使用する空気を加熱する必要があるが、従来の構造のサウナ装置では空気を送風するための送風機の部分を加熱された空気が通過するためファンやモーターの変形、故障などが発生する可能性が高くなる。【解決手段】空気を送風するクロスフローファン４と、空気を加熱するためのヒーター３と空気を加湿するための噴出ノズル６を備えた浴室サウナ装置１において、空気の流通がクロスフローファン４からヒーター３を経て加湿部５に流入するようにしたものであり、高温の空気をクロスフローファン４に通過させること無く、加湿部５に流入する空気の温度を上昇させることができ、クロスフローファン４の変形や破損を生じることなく加湿量を増加させることができる。【選択図】図１
2008079673.tif 000002
【特許請求の範囲】
【請求項１】
空気を送風する送風機と、空気を加熱するための加熱手段と空気を加湿するための加湿手段を備えたサウナ装置において、空気の流通が送風機から加熱手段を経て加湿手段に流入するように構成したことを特徴とするサウナ装置。
【請求項２】
加熱加湿対象室内の空気を循環送風するための送風路と、前記加熱加湿対象室内の空気を送風路に送風する送風器と前記加熱加湿対象室内の空気を加熱する加熱手段と、前記加熱加湿対象室内の空気を加湿する加湿手段を備えたサウナ装置において、前記加熱手段が前記送風路内の前記送風機の下流で前記加湿手段の上流の位置に設けられていることを特徴とするサウナ装置。
【請求項３】
加熱手段通過後の空気の温度が５０℃以上であることを特徴とする請求項１または２に記載のサウナ装置。
【請求項４】
加熱手段がセラミックヒーターであることを特徴とする請求項１乃至３のいずれかに記載のサウナ装置。
【請求項５】
加熱手段がシーズヒーターであることを特徴とする請求項１乃至３のいずれかに記載のサウナ装置。
【請求項６】
加熱手段がニクロムヒーターであることを特徴とする請求項１乃至３のいずれかに記載のサウナ装置。
【請求項７】
加湿手段が加熱手段により加熱された空気に加湿水を噴霧することで加湿を行うことを特徴とする請求項１乃至６のいずれかに記載のサウナ装置。
【請求項８】
加熱手段の外表面が電気的絶縁性を有することを特徴とする請求項１乃至７のいずれかに記載のサウナ装置。
【請求項９】
加熱手段の下流側に加湿手段から飛散する水滴の加熱手段への付着を防止する水滴付着防止手段を設けたことを特徴とする請求項１乃至８のいずれかに記載のサウナ装置。
【請求項１０】
加熱手段の下流側に加湿手段から飛散する水滴の加熱手段への付着を防止するための水滴飛散防止板を設けたことを特徴とする請求項９に記載のサウナ装置。
【請求項１１】
水滴飛散防止板がヒーターからの空気の吹出方向に対して傾斜して設けられていることを特徴とする請求項１０に記載のサウナ装置。
【請求項１２】
加湿手段が加熱手段により加熱された空気に超音波発振子により霧化した加湿水を供給することで加湿することを特徴とする請求項１乃至６のいずれかに記載のサウナ装置。
【請求項１３】
加湿手段の下流側に大径の水滴を回収するための大径水滴回収手段を設けたことを特徴とする請求項１乃至１２のいずれかに記載のサウナ装置。
【請求項１４】
大径水滴回収手段により回収する水滴の大きさが１０μｍ以上であることを特徴とする請求項１３に記載のサウナ装置。
【請求項１５】
大径水滴回収手段が網状の材料を複数枚積層して構成されていることを特長とする請求項１３または１４に記載のサウナ装置。
【発明の詳細な説明】
【技術分野】
【０００１】
本発明は、加熱加湿対象室内を加熱及び加湿する目的で使用されるサウナ装置に関する。
【背景技術】
【０００２】
従来、この種の浴室サウナ装置は、浴室内に設けた吹出口と吸込口を送風路で連通連結し、送風路内に加湿手段を臨ませ温水を噴出させることで浴室内に加温加湿空気を供給する方法が知られている（例えば、特許文献１参照）。
【０００３】
以下、その浴室サウナ装置について図７を参照しながら説明する。図７に示すように、この装置は吹出口１０１および吸込口１０２を設け、吸込口１０２を送風路１０３で吹出口１０１に連通連結した本体１０４と、前記本体１０４の上部に装着されるとともに、前記送風路１０３内の気液接触部１０５に上方から熱水を分散させる熱水供給部材１０６と、前記本体１０４の上端部に装着されるとともに、前記本体１０４内に前記吸込口１０２から前記送風路１０３を介して前期吹出口１０１に至る空気の流れを形成する空気供給部材１０７と、前記吹出口１０１前方に前記送風路１０３内を流通する空気を加熱するための加熱部材１０８を備えた構成とされている。
【０００４】
このように構成された浴室サウナ装置では、熱水供給部材１０６によって、本体１０４内部の気液接触部１０５に熱水を供給するとともに、空気供給部材１０７によって本体１０４の吸込口１０２から送風路１０３を介して吹出口１０１に至る空気の流れを形成すると、気液接触部１０５に供給される熱水にそこを通過する空気が接触し、昇温、増湿した空気が本体１０４の吹出口１０１から本体外に吹出されることとなる。
【特許文献１】特許第３５３２６４６号公報（第１−７頁、第４図）
【発明の開示】
【発明が解決しようとする課題】
【０００５】
このような従来のサウナ装置においては加熱加湿対象室内を充分に加湿するために一般の居室で利用される加湿器と比較して大量の加湿を行う必要がある。一例を挙げると、一般居室で利用される加湿器が１４ｍ2あたり５００ｇ／ｈの加湿量が必要とされるのに対し、サウナ装置においては３．３ｍ2の加熱加湿対象室内をサウナ空間（一例としては温度４０℃、相対湿度８０％程度の空間）とするために必要な加湿量はおおよそ１８００〜２４００ｇ／ｈ程度である。このため、サウナ装置では充分な加湿量を得るために、加湿部に供給する空気を加熱し、温度を上昇させることで加湿量を増加させる手法がとられている。しかしながら、一般的なサウナ装置では空気を加熱するための加熱手段はサウナ装置の吸込口もしくは吹出口に設けられることが一般的である。このうち、吹出口に加熱手段を設けた場合、空気はサウナ装置の出口部分で加熱昇温されるため、サウナ装置内の加湿部に供給される空気は一旦加熱加湿対象室に放出された後、サウナ装置内の加湿部に間接的に供給されることになるため、加湿部入口での空気温度はそれほど上昇しない。このため、加湿部での加湿量の増加にはそれほど寄与しない。これに対して、サウナ装置の吸込口に加熱手段を設けた場合、加湿部に供給される空気は充分に昇温された状態となるため加湿部における加湿量も増加する事となる。しかしながら、サウナ装置の吸込口に加熱手段を設けた場合、加熱昇温された空気が、サウナ装置内に加熱加湿対象室内の空気を循環させるための送風手段（一般的にはファンと駆動用モーターを含む送風機）を通過する必要があるため、送風手段の温度も上昇してしまう。送風手段の温度が上昇してしまうと熱による変形や駆動用モーターの熱による故障などが発生しやすくなり、サウナ装置の故障の原因となっていた。
【０００６】
本発明はこのような従来の課題を解決するものであり、加湿部での加湿量を増加させ、加熱加湿対象室内を充分に加熱及び加湿しながらサウナ装置の送風機などの故障を防止することを目的としている。
【課題を解決するための手段】
【０００７】
上記目的を達成するために本発明が講じた第一の解決手段は、空気を送風する送風機と、空気を加熱するための加熱手段と空気を加湿するための加湿手段を備えたサウナ装置において、空気の流通が送風機から加熱手段を経て加湿手段に流入するようにしたものである。
【０００８】
この手段により、送風機の変形や破損を生じることなく加湿量を増加させることができる。
【０００９】
また、本発明が講じた第二の解決手段は、加熱加湿対象室内の空気を循環送風するための送風路と、前記加熱加湿対象室内の空気を送風路に送風する送風器と前記加熱加湿対象室内の空気を加熱する加熱手段と、前記加熱加湿対象室内の空気を加湿する加湿手段を備えたサウナ装置において、前記加熱手段が前記送風路内の前記送風器の下流で前記加湿手段の上流の位置に設けたものである。
【００１０】
この手段により、送風機の変形や破損を生じることなく加湿量を増加させることができる。
【００１１】
また、本発明が講じた第三の解決手段は、加熱手段通過後の空気の温度が５０℃以上にしたものである。
【００１２】
この手段により、送風機の変形や破損を生じることなく加湿量を増加させることができる。
【００１３】
また、本発明が講じた第四の解決手段は、加熱手段をセラミックヒーターで構成したものである。
【００１４】
この手段により、空気の温度を充分に昇温させ、加湿量を増加させることができる。
【００１５】
また、本発明が講じた第五の解決手段は、加熱手段をシーズヒーターで構成したものである。
【００１６】
この手段により、空気の温度を充分に昇温させ、加湿量を増加させることができる。
【００１７】
また、本発明が講じた第六の解決手段は、加熱手段をニクロムヒーターで構成したものである。
【００１８】
この手段により、空気の温度を充分に昇温させ、加湿量を増加させることができる。
【００１９】
また、本発明が講じた第七の解決手段は、加湿手段を加熱手段により加熱された空気に加湿水を噴霧することで加湿するように構成したものである。
【００２０】
この手段により、加熱加湿対象室内を充分に加湿することができる。
【００２１】
また、本発明が講じた第八の解決手段は、加熱手段の外表面を電気的絶縁性を有するようにしたものである。
【００２２】
この手段により、加熱手段に水滴等が付着した場合でも安全に使用することができる。
【００２３】
また、本発明が講じた第九の解決手段は、加熱手段の下流側に加湿手段から飛散する水滴の加熱手段への付着を防止する水滴付着防止手段を設けたものである。
【００２４】
この手段により、加熱手段に水滴等が付着するのを防止することができる。
【００２５】
また、本発明が講じた第十の解決手段は、加熱手段の下流側に加湿手段から飛散する水滴の加熱手段への付着を防止するための水滴飛散防止板を設けたものである。
【００２６】
この手段により、加熱手段に水滴等が付着するのを防止することができる。
【００２７】
また、本発明が講じた第十一の解決手段は、水滴飛散防止板をヒーターからの空気の吹出方向に対して傾斜して設けたものである。
【００２８】
この手段により、送風路を通過する空気の流量を大幅に低下させること無く加熱手段に水滴等が付着するのを防止することができる。
【００２９】
また、本発明が講じた第十二の解決手段は、加湿手段を加熱手段により加熱された空気に超音波発振子により霧化した加湿水を供給することで加湿するように構成したものである。
【００３０】
この手段により、加熱加湿対象室内を充分に加湿することができる。
【００３１】
また、本発明が講じた第十三の解決手段は、加湿手段の下流側に大径の水滴を回収するための大径水滴回収手段を設けたものである。
【００３２】
この手段により、入浴者が水滴の付着を体感することが無くなり、入浴者の体感が向上する。
【００３３】
また、本発明が講じた第十四の解決手段は、大径水滴回収手段により回収する水滴の大きさを１０μｍ以上にしたものである。
【００３４】
この手段により、入浴者が水滴の付着を体感することが無くなり、入浴者の体感が向上する。
【００３５】
また本発明が講じた第十五の解決手段は、大径水滴回収手段を網状の材料を複数枚積層して構成したものである。
【００３６】
この手段により、複雑な構成をとることなく、大径の水滴を回収することができ、入浴者の体感を向上させることができる。
【発明の効果】
【００３７】
本発明によれば加熱加湿対象室内の湿度を上昇するために必要な充分な加湿量を得られ、サウナ装置内部の送風機などの変形や破損などを防止することができるサウナ装置を提供することができる。
【発明を実施するための最良の形態】
【００３８】
本発明の請求項１記載の発明は、空気を送風する送風機と、空気を加熱するための加熱手段と空気を加湿するための加湿手段を備えたサウナ装置において、空気の流通が送風機から加熱手段を経て加湿手段に流入するようにしたものであり、装置内を通過する空気は送風機通過後に昇温され、その後加湿手段に流入するため、送風機に流入する空気の温度の昇温を抑えながら加湿部に供給する空気の温度を上昇させることができるため送風機の変形や破損を生じることなく加湿量を増加させることができる。
【００３９】
また、加熱加湿対象室内の空気を循環送風するための送風路と、前記加熱加湿対象室内の空気を送風路に送風する送風器と前記加熱加湿対象室内の空気を加熱する加熱手段と、前記加熱加湿対象室内の空気を加湿する加湿手段を備えたサウナ装置において、前記加熱手段が前記送風路内の前記送風器の下流で前記加湿手段の上流の位置に設けたものであり、装置内を通過する空気は送風機通過後に昇温され、その後加湿手段に流入するため、送風機に流入する空気の温度の昇温を抑えながら加湿部に供給する空気の温度を上昇させることができるため送風機の変形や破損を生じることなく加湿量を増加させることができる。
【００４０】
また、加熱手段通過後の空気の温度が５０℃以上にしたものであり、送風機に流入する空気の温度を抑制しながら加湿部に供給する空気の温度を浴室内の空気の温度よりも高い温度にすることで送風機の変形や破損を生じることなく加湿量を増加させることができる。
【００４１】
また、加熱手段をセラミックヒーターで構成したものであり、送風機に流入する空気の温度を抑制しながら加湿部に流入する空気の温度を充分に昇温させることで送風機の変形や破損を生じることなく加湿量を増加させることができる。
【００４２】
また、加熱手段をシーズヒーターで構成したものであり、送風機に流入する空気の温度を抑制しながら加湿部に流入する空気の温度を充分に昇温させることで、送風機の変形や破損を生じることなく加湿量を増加させることができる。
【００４３】
また、加熱手段をニクロムヒーターで構成したものであり、送風機に流入する空気の温度を抑制しながら加湿部に流入する空気の温度を充分に昇温させることで、送風機の変形や破損を生じることなく加湿量を増加させることができる。
【００４４】
また、加湿手段を加熱手段により加熱された空気に加湿水を噴霧することで加湿するように構成したものであり、送風機に流入する空気の温度を抑制しながら加湿部に流入する空気の温度を充分に昇温することで送風機の変形や破損を生じないように構成した場合においてさらに空気に添加する加湿量を増加させ、加熱加湿対象室内を充分に加湿することができる。
【００４５】
また、加熱手段の外表面を電気的絶縁性を有するようにしたものであり、送風機に流入する空気の温度を抑制しながら加湿部に流入する空気の温度を充分に昇温することで送風機の変形や破損を生じないように構成した場合において、加熱手段に水滴等が付着した場合でも安全に使用することができる。
【００４６】
また、加熱手段の下流側に加湿手段から飛散する水滴の加熱手段への付着を防止する水滴付着防止手段を設けたものであり、加熱手段に水滴等が付着するのを防止することができるため送風機の変形や破損を生じることなく加湿量を増加させたい場合においてさらに安全に使用することが可能となる。
【００４７】
また、加熱手段の下流側に加湿手段から飛散する水滴の加熱手段への付着を防止するための水滴飛散防止板を設けたものであり、送風機に流入する空気の温度を抑制しながら加湿部に流入する空気の温度を充分に昇温することで送風機の変形や破損を生じないように構成した場合において、加熱手段に水滴等が付着するのを防止することでさらに安全に使用することが可能となる。
【００４８】
また、水滴飛散防止板をヒーターからの空気の吹出方向に対して傾斜して設けたものであり、送風路を通過する空気の流量を大幅に低下させること無く加熱手段に水滴等が付着するのを防止することができるため、送風機に流入する空気の温度を抑制しながら加湿部に流入する空気の温度を充分に昇温することで送風機の変形や破損を生じないように構成した場合においても充分な加湿量を得ることができる。
【００４９】
また、加湿手段を加熱手段により加熱された空気に超音波発振子により霧化した加湿水を供給することで加湿するように構成したものであり、送風機に流入する空気の温度を抑制しながら加湿部に流入する空気の温度を充分に昇温することで送風機の変形や破損を生じないように構成した場合において、さらに空気に添加する加湿量を増加させ、加熱加湿対象室内を充分に加湿することができる。
【００５０】
また、加湿手段の下流側に大径の水滴を回収するための大径水滴回収手段を設けたものであり、送風機に流入する空気の温度を抑制しながら加湿部に流入する空気の温度を充分に昇温することで送風機の変形や破損を生じないように構成した場合においても、入浴者が水滴の付着を体感することが無くなり、入浴者の体感が向上する。
【００５１】
また、大径水滴回収手段により回収する水滴の大きさを１０μｍ以上にしたものであり、送風機に流入する空気の温度を抑制しながら加湿部に流入する空気の温度を充分に昇温することで送風機の変形や破損を生じないように構成した場合においても入浴者が水滴の付着を体感することが無くなり、入浴者の体感が向上する。
【００５２】
また、大径水滴回収手段を網状の材料を複数枚積層して構成したものであり、複雑な構成をとることなく、大径の水滴を回収することができ、送風機に流入する空気の温度を抑制しながら加湿部に流入する空気の温度を充分に昇温することで送風機の変形や破損を生じないように構成した場合においても入浴者の体感を向上させることができる。
【００５３】
以下、本発明の実施の形態について図面を参照しながら説明する。なお、従来の例と同一の構成要素については同一の符号を用い、詳細な説明は省略する。
【００５４】
（実施の形態１）
まず本発明における浴室サウナ装置の概略構成について説明する。
【００５５】
図１は本発明の実施の形態における浴室サウナ装置の概略構成を示す簡易的な分解図である。
【００５６】
図１に示すように、この浴室サウナ装置１は外郭を形成する外装体２及びフロントパネル１１０、浴室内の空気を吸込み加熱加湿した後に再び浴室内に吹出すサウナモジュール１１１、外装体２の一面に設けられ、送風路と連通する開口部１１２に接続された換気ユニット１１３、またこれらを制御する制御装置１１４から構成されている。以下にそれぞれの具体的な構成について記す。
【００５７】
図２に示すように外装体２の浴室側一面を形成するフロントパネル１１０は、浴室内の空気を吸込むための吸込口１０２と加熱及び加湿した空気を浴室サウナ装置１の外部に吹出すための吹出口１０１を備えている。吸込口１０２に吸込口１０２を通過する空気の温度を測定する温度センサ１２を備え、また、吸込口１０２のサウナモジュール１１１側にはフィルター１１５を備えており、浴室内空気を循環させる際に微細な塵や埃の侵入を防止する構造となっている。また、吹出口１０１部には加熱加湿された空気の吹出方向を可変させるためのルーバー１１６が設けられており、ルーバー１１６は制御装置１１４に接続されたルーバー駆動モータ１１７により自在に稼動することで任意の方向に吹出方向を可変させることができる。
【００５８】
図３に示すようにサウナモジュール１１１内には、フロントパネル１１０の吸込口１０２および吹出口１０１を連結する送風路１０３が設けられており、送風路１０３の吸込口１０２側に備えられた、制御装置１１４により回転数を自在に変更可能なモータ１１８に接続されたクロスフローファン４が回転することでサウナモジュール１１１内に空気を送風する。クロスフローファン４の下流側には、加熱手段としての空気加熱用のヒーター３を備えており、このヒーター３により空気が加温され、高温の空気を送風することが可能となる。送風路１０３内の送風機としてのクロスフローファン４の下流側には加湿部５が設けられている。加湿部５に設けられた加湿手段としての噴出ノズル６に温水を供給し、供給された温水を噴出ノズル６から微細な水滴として噴霧する。
【００５９】
この時、噴霧方向前方に噴霧水滴破砕手段７を設け、噴霧された水滴を噴霧水滴破砕手段７を用いてさらに微細な形状へと変化させる。ここで微細な水滴（例えば水滴径１００μｍ以下）に関しては送風する空気とともに吹出口１０１に運ばれ浴室内を加湿し、微細な水滴に破砕することができなかった水滴に関しては、排水部１２０へと向かう。送風空気とともに運ばれる微細な水滴の中でも、比較的水滴径が大なる水滴（例えば水滴径１０〜１００μｍ）に関しては加湿部５の吹出口１０１側に設けられたエリミネータ８で回収され、排水部１２０へと向かう。エリミネータ８を通過した微細な水滴（水滴径１０μｍ以下）はヒーター３により加熱された空気とともに吹出口１０１より浴室に供給され、浴室内を加熱加湿する。エリミネータ８は粗いメッシュ状の素材を複数枚積層して構成されており、従来の通気案内板を用いた蛇行風路のような大掛かりな構成を必要とせず、且つ圧力損失も比較的小さくできる。ここで、噴霧水滴破砕手段７は噴出ノズル６から噴霧された水滴を更に微細な水滴に破砕できればよく、例えば、噴出ノズル６に対向して設けられた衝突板、回転板、あるいは、表面がぎざぎざ形状の板などがある。
【００６０】
排水部１２０に向かった水分は排水部１２０に連結されている排水管１２２を通り装置外部に排水される。排水部１２０は加湿部５の最下部に設けられるとともに、底面に排水管接続部が最下端となるように勾配を持たせており、加湿部内に余剰水を滞留させないようにしてある。この際、底面の排水勾配は角度が大きければ大きいほど良いが、望ましくは５°以上の勾配を確保することによって、加湿部内の余剰水を確実に排水することが可能となる。これと同様に、装置外部に接続される排水管も同等の５°以上の勾配を確保して設置することで装置内への余剰水の滞留を防止することができる。また、排水部１２０にはフロートスイッチ１２３を備えており、排水部１２０の水位上昇を検知し、所定の水位を超えた場合には制御装置１１４が噴出ノズル６への給水を停止することで加湿部５からの漏水を防止する。
【００６１】
給水経路１２４上には電磁弁１２５を設け、給水を開閉制御することで加湿水の供給量を変更可能にする。電磁弁１２５とは電気信号により電磁力を利用した弁が開閉する方式の弁である。
【００６２】
図４に示すようにヒーター３の下流で加湿部５の上流の位置には加湿部５から飛散する水滴がヒーター３に付着するのを防止するために水滴飛散防止板９が設けられている。水滴飛散防止板９は空気の流通方向に対して傾斜した角度で設置されており、傾斜させることにより空気の流通への影響を極力小さくしながら水滴の飛散を防止することが可能となる。
【００６３】
図５に示すように、ヒーター３はセラミックなどの発熱体１０に空気との伝熱性を促進するための伝熱用フィン１１が取り付けられた構造となっており、発熱体１０に通電することで発熱体１０が発熱し、伝熱用フィン１１を昇温し、昇温された伝熱用フィン１１周辺を空気が流通することで流通する空気を加熱昇温する。発熱体１０及び伝熱用フィン１１の表面は電気的に絶縁されており、水滴等の付着が生じた場合でも漏電等の障害は生じない構造となっている。
【００６４】
図６に示す換気ユニット１１３は、浴室内空気を換気ユニット１１３に吸込むための換気用ファン１２８と空気の排気経路である排気ダクト１２９から構成されており、外装体２の一面に設けられた開口部１１２と開口部１１２の開口面積を可変させるためのダンパ１３０を介して接続している。ダンパ１３０は通常サウナ運転時には閉じられているが、制御装置１１４に接続されたダンパ駆動用モータ１３１により開閉可能であり、換気用ファン１２８を回転させるとともにダンパ１３０を開くことで浴室内空気を吸込口１０２より換気ユニット１１３内に通風し、排気ダクト１２９より吹出することで浴室内の換気を行う。換気量の調整はダンパ１３０の開口面積の変更及び換気用ファン１２８の回転数制御により行い、これらの組み合わせにより必要とする換気量を実現する。
【００６５】
次に浴室サウナ装置１の制御装置１１４の詳細を示す。
【００６６】
サウナ運転を開始すると、サウナモジュール１１１内のモータ１１８が作動することでクロスフローファン４が回転し、吸込口１０２より浴室内の空気を吸入し、送風路１０３を通り吹出口１０１から再び浴室内に流出することで浴室内空気を循環する。その時、空気加熱用のヒーター３および給水経路１２４の開閉手段である電磁弁１２５に通電し空気の加熱及び加湿水の供給を開始することで装置内において浴室内空気の加熱及び加湿が開始される。この際、フロントパネル１１０に設けてあるルーバー１１６が開放し、加熱加湿された空気の吹出方向を制御する。
【００６７】
ある程度時間経過し、例えば、２０分程度経過し、浴室内の温湿度が所定の値に達したら、例えば、サウナの標準モードでの温度設定が約４０℃程度なので、その温度より若干低い温度で温調を開始する意味で、所定温湿度の約３８℃、８０％ＲＨ程度に達すると、モータ１１８の回転数を変更し、加熱及び加湿量を変更する。その後、更にある程度時間経過し、例えば、５分程度経過し、浴室内の温湿度が所定の値を超えたら、例えば、サウナの標準モードでの温度設定が約４０℃程度なので、その温度より若干高温にすることにより温調の幅を持たせる意味で、所定温湿度の約４２℃、８０％ＲＨ程度に達すると、浴室内の温湿度を調節するためにモータ１１８の回転数及びヒーターへの通電量を変更し、給水経路１２４に設けられた電磁弁１２５の開閉を繰り返すことで浴室内の温湿度の制御を行う。ここで、本実施の形態１では、温度センサー１２で、温度を計測して、相対湿度を推定したが、もちろん、温度センサー１２と湿度センサーの両方を用いて、温度、湿度を計測してもよい。
【００６８】
サウナ運転停止時には、サウナモジュール１１１内モータ１１８の運転を停止し、給水経路１２４に設けられた電磁弁１２５を閉じる。その後、浴室内の乾燥のために換気運転を行うため、外装体２と換気ユニット１１３の連結部に設けられたダンパ１３０を開き、換気ユニット１１３内の換気用ファン１２８を回転させることで浴室サウナ装置１の吸込口１０２より流入した浴室内空気を排気ダクト１２９より浴室外へと排出する。
【００６９】
前述したような動作を実施することでサウナ対象室（浴室）内は高温高湿（４０℃／８０％程度）の状態となり、入浴者に発汗を促す程度のミストサウナ状態とすることが可能となる。また、本実施の形態の様な構成で加湿部５を形成することにより、従来の蛇行風路の様な大掛かりな構成を組まなくとも、送風路１０３内で大径な水滴は回収し、比較的小径な水滴のみを浴室内に吹出すことが可能となる。
【００７０】
上記のような運転を行うことにより、浴室内を所定の温湿度に上昇させ、サウナ空間とすることが可能となる。また、本実施の形態で記載した構造とすることでより多くの加湿量を得ながら故障等が少なく、信頼性の高い浴室サウナ装置を提供することができる。
【００７１】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【００７２】
また、本実施の形態においてのクロスフローファン４を駆動するモータ１１８は制御装置１１４により回転数を自在に変更可能なモータ１１８を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【００７３】
また、本実施の形態においてはクロスフローファン４を用いて送風路１０３内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【００７４】
また、本実施の形態においては送風空気を加温する手段としてセラミックの発熱体を用いたヒーターを用いたが、送風空気を充分に加温できるのであれば他の加温手段を用いても全く問題は無く、シーズヒーターやニクロムヒーター、その他の熱源体を用いても、その作用効果に差異を生じない。
【００７５】
また、本実施の形態においてはヒーター通過後の空気の温度を特に記述しなかったが、より高温であるほど加湿量が増加するため空気の温度は高温であるほうがよい。望ましくは５０℃を超える空気温度とすることで加熱加湿対象室である浴室内を充分に加湿することができる。
【００７６】
また、本実施の形態においては加湿部５において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴出ノズル６より噴出する加湿水の温度を適宜設定することが望ましい。さらには加湿水を噴霧する方法だけでなく、超音波発振子などを用いて空気中に微細な水滴を拡散させる方式をとってもよくその作用効果に差異を生じない。
【００７７】
また、本実施の形態において噴霧水滴破砕手段７は特に説明はしなかったが噴霧後の微細水滴をさらに細かく破砕するための手段であり、噴出ノズル６から噴霧された推進力を持った微細な水滴を回転体や形状を凸凹にした壁面、また材質を考慮した壁面に水滴を噴霧する方法により水滴を細かく破砕する手段であれば良く、その形状や材質等を限定するものではない。なお望ましくは、噴霧水破砕手段への水滴の衝突時に相対速度が極力大きくなり、なおかつ多方向に反射するような形状を取ることによってより細かい水滴に破砕することが可能になる。
【００７８】
また、本実施例においてはエリミネータ８を通過する水滴径を１０μｍ以下としたが、水滴径１００μｍ以下の水滴径であればよく、エリミネータ８を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【００７９】
また、本実施の形態においては液体供給手段として、上水道をそのまま配管で連結して用いているが、水圧の増大を図りたい場合にはポンプ等により圧力を高めて供給しても問題なく、その作用効果に差異を生じない。
【００８０】
また、本実施の形態においては給水経路１２４の開閉手段として電磁弁１２５を用いたが、、何らかの制御手段を用いて回路を開閉できるのであれば他の手段を用いても全く問題は無く、熱動弁等を用いてもその作用効果に差異を生じない。なお望ましくは制御装置１１４による温湿度の制御が可能な流量調節弁であり且つ制御信号に対する応答性の良いものが好ましい。
【産業上の利用可能性】
【００８１】
加熱加湿対象室に取り付けた加熱加湿装置を用いて加熱加湿対象室内の温湿度を早期に所定の温湿度に調整することが可能となり、一般居室の空調から浴室をサウナ空間にするためのサウナ装置としての用途にも適用できる。また、大加湿量を得ることが可能なため、オフィスや工場などの大空間の空調に適用することも可能である。
【図面の簡単な説明】
【００８２】
【図１】本発明の実施の形態１における浴室サウナ装置の概略図
【図２】同浴室サウナ装置のフロントパネル構成図
【図３】同浴室サウナ装置のサウナモジュールの概略図
【図４】同サウナモジュール内の飛散水滴防止板の概略図
【図５】同空気加熱用ヒーターの概略図
【図６】同換気ユニットの概略図
【図７】従来の浴室サウナ装置を示す概略図
【符号の説明】
【００８３】
１      浴室サウナ装置
２      外装体
３      ヒーター
４      クロスフローファン
５      加湿部
６      噴出ノズル
７      噴霧水滴破砕手段
８      エリミネータ
９      水滴飛散防止板
１０    発熱体
１１    伝熱用フィン
１０１  吹出口
１０２  吸込口
１０３  送風路
１０４  本体
１０５  気液接触部
１０６  熱水供給部材
１０７  空気供給部材
１０８  加熱部材
１０９  サウナ装置
１１０  フロントパネル
１１１  サウナモジュール
１１２  開口部
１１３  換気ユニット
１１４  制御装置
１１５  フィルター
１１６  ルーバー
１１７  ルーバー駆動モータ
１１８  モータ
１２０  排水部
１２２  排水管
１２３  フロートスイッチ
１２４  給水経路
１２５  電磁弁
１２８  換気用ファン
１２９  排気ダクト
１３０  ダンパ
１３１  ダンパ駆動用モータ
【図１】
2008079673.tif 000003
【図２】
2008079673.tif 000004
【図３】
2008079673.tif 000005
【図４】
2008079673.tif 000006
【図５】
2008079673.tif 000007
【図６】
2008079673.tif 000008
【図７】
2008079673.tif 000009